(57)【特許請求の範囲】
【請求項１】
一対の蓋側内フラップと一対の蓋側外フラップとで蓋部が構成される梱包箱において、蓋側内フラップと幅面との境目である蓋側内フラップ側横罫線上に形成された蓋側内フラップを切り離すための蓋側内フラップ切離線と、前記蓋側内フラップ側横罫線に上端を一致させて切断線で切り離し可能に幅面に形成された切出口と、この切出口の両端部から続いて蓋側内フラップに形成された２本の内フラップ折曲補助線と、蓋側外フラップと長さ面との境目である蓋側外フラップ側横罫線上に形成された蓋側外フラップを切り離すための蓋側外フラップ切離線とを具備しており、前記蓋側外フラップには、先端両隅部と蓋側外フラップ側横罫線の中間部とをつなぐ略Ｖ字形状の外フラップ折曲補助線が形成されており、この外フラップ折曲補助線は罫線であることを特徴とする梱包箱。
【請求項２】
前記２本の内フラップ折曲補助線は、罫線とカット線とが交互に形成されたものであることを特徴とする請求項１記載の梱包箱。
【請求項３】
前記略Ｖ字形状の外フラップ折曲補助線は、頂点を有したＶ字形状であるとともに、罫線であることを特徴とする請求項１又は２記載の梱包箱。
【請求項４】
前記蓋側内フラップ切離線は、ジッパーであることを特徴とする請求項１、２又は３記載の梱包箱。
【請求項５】
前記蓋側外フラップ切離線は、ミシン目であることを特徴とする請求項１、２、３又は４記載の梱包箱。
【請求項６】
蓋側内フラップ側横罫線、蓋側外フラップ側横罫線、底部を構成する底側内フラップ側横罫線、底側外フラップ側横罫線は、前記蓋側内フラップ切離線、切出口、内フラップ折曲補助線、蓋側外フラップ切離線、外フラップ折曲補助線を形成する前に、コルゲーターで予め形成されているものであることを特徴とする請求項１、２、３、４又は５記載の梱包箱。
【発明の詳細な説明】
【技術分野】
【０００１】
本発明は、段ボール箱等の梱包箱であって、カッター等の刃物を使用しなくても蓋部を容易に切り離すことができる梱包箱に関する。
【背景技術】
【０００２】
Ａ−１型と称されるＪＩＳ−Ｚ−１５０７に示される０２１０型の段ボール箱は、みかん箱等に広く利用されている。
みかん箱として利用される場合、店頭において、箱のまま展示する際に中身のみかんがよく見えるように、天面の蓋部を構成する一対の蓋側外フラップと一対の蓋側内フラップとを閉じた状態のままカッター等で切り裂くことが多い。
しかしながら、カッター等の刃物の使用は手間でもあるし、中身のみかんを傷つけることもあった。これは天面の蓋部のみならず、他の面を取り除いた状態で内容物を展示する梱包箱に共通する問題である。
そこで、かかる問題点を解消した梱包箱として、実用新案登録第３０２７２０３号公報に示すように『一枚の台紙Ａを折り曲げて形成される直方体状の箱体で、前壁に連接したフラップと後壁に連接したフラップとが共に内側方向に９０度折り曲げられた上に、左側壁に連接したフラップと右側壁に連接したフラップとが共に内側方向に９０度折り曲げられることによって上面及び底面が形成されているものにおいて、前記箱体１の左側壁２及び右側壁３にはそれぞれ、前壁４との接合位置にある辺５ａ、５ｂから３０〜７０ｍｍの間隔をあけた位置に、該辺５ａ、５ｂと平行な開梱用ジッパー部６ａ、６ｂが、箱の高さ方向全長に渡って設けられており、前記左側壁２の上側辺７ａ、下側辺７ｂ及び前記右側壁３の上側辺８ａ、下側辺８ｂ上にはそれぞれ、各辺の前端点９ａ、９ｂ、９ｃ、９ｄから前記開梱用ジッパー部６ａ、６ｂの設けられた位置まで開梱用ミシン罫線１０ａ〜１０ｄが設けられていることを特徴とする箱体。』が創案された。
【０００３】
【特許文献１】実用新案登録第３０２７２０３号公報
【発明の開示】
【発明が解決しようとする課題】
【０００４】
しかしなから、特許文献１に記載された箱体は、天面ではなくあくまで側面を開封するものである。
【０００５】
本発明は、上記事情に鑑みて創案されたもので、段ボール箱等の梱包箱であって、カッター等の刃物を使用しなくても蓋部を容易に切り離すことができる梱包箱を提供することを目的としている。
【課題を解決するための手段】
【０００６】
本発明に係る梱包箱は、一対の蓋側内フラップと一対の蓋側外フラップとで蓋部が構成される梱包箱であって、蓋側内フラップと幅面との境目である蓋側内フラップ側横罫線上に形成された蓋側内フラップを切り離すための蓋側内フラップ切離線と、前記蓋側内フラップ側横罫線に上端を一致させて切断線で切り離し可能に幅面に形成された切出口と、この切出口の両端部から続いて蓋側内フラップに形成された２本の内フラップ折曲補助線と、蓋側外フラップと長さ面との境目である蓋側外フラップ側横罫線上に形成された蓋側外フラップを切り離すための蓋側外フラップ切離線とを備えており、前記蓋側外フラップには、先端両隅部と蓋側外フラップ側横罫線の中間部とをつなぐ略Ｖ字形状の外フラップ折曲補助線が形成されており、この外フラップ折曲補助線は罫線である。
【発明の効果】
【０００７】
本発明に係る梱包箱であると、切出口を蓋側内フラップの方向へ引っ張り上げると、蓋側内フラップの２本の内フラップ折曲補助線の内側部分から山状に持ち上がり、この蓋側内フラップの盛り上がりに伴って、蓋側内フラップの蓋側内フラップ側横罫線上に形成された蓋側内フラップ切離線が破断し、蓋側内フラップが確実に幅面から切断される。また、蓋側外フラップと長さ面との境目である蓋側外フラップ側横罫線上に形成された蓋側外フラップを切り離すための蓋側外フラップ切離線があるので、確実に蓋側外フラップも切断される。
【０００８】
また、蓋側外フラップに、先端両隅部と蓋側外フラップ側横罫線の中間部とをつなぐ略Ｖ字形状の外フラップ折曲補助線が形成されており、前記内フラップ折曲補助線の内側部分の山状の持ち上がりに伴って、蓋側外フラップも外フラップ折曲補助線部分から上方向へと折曲され、蓋側外フラップが長さ面から確実に切断される。
しかも、この外フラップ折曲補助線は、頂点を有する略Ｖ字形状に形成させているので、蓋側外フラップを切断する際に、中央部まで確実に切断できる。
【図面の簡単な説明】
【０００９】
【図１】本発明の実施の形態に係る梱包箱の蓋部を開放した状態を示す概略的斜視図である。
【図２】本発明の実施の形態に係る梱包箱の概略的展開図である。
【図３】本発明の実施の形態に係る梱包箱から蓋側内フラップを幅面から切り離した後の状態を示す概略的斜視図である。
【発明を実施するための形態】
【００１０】
本発明の実施の形態に係る梱包箱１００は、段ボール製であって、一対の蓋側内フラップ１１０と一対の蓋側外フラップ１２０とで蓋部が構成されており、蓋側内フラップ１１０と幅面１３０との境目である蓋側内フラップ側横罫線１３１上に形成された蓋側内フラップ１１０を切り離すための内フラップ切離線と、前記蓋側内フラップ側横罫線１３１に上端を一致させて切断線としてのミシン目１３５Ａで切り離し可能に幅面１３０に形成された切出口１３５と、この切出口１３５の両端部から続いて蓋側内フラップ１２０に形成された２本の内フラップ折曲補助線１１１と、蓋側外フラップ１２０と長さ面１４０との境目である蓋側外フラップ側横罫線１４１上に形成された蓋側外フラップ１２０を切り離すための蓋側外フラップ切離線とを備えており、前記蓋側外フラップ１４１には、先端両隅部と蓋側外フラップ側横罫線１４１の中間部とをつなぐ略Ｖ字形状の外フラップ折曲補助線１２５が形成されており、この外フラップ折曲補助線１２５は罫線である。
【００１１】
この梱包箱１００は、全体として直方体状に形成されており、側面が一対の対向する幅面１３０と、一対の対向する長さ面１４０との合計４面となっている。
前記幅面１３０の下端から延設された底側内フラップ１５０と、前記長さ面１４０の下端から延設された底側外フラップ１６０の合計４つのフラップによって底部が構成されている。
また、前記幅面１３０の上端から延設された一対の蓋側内フラップ１１０と、前記長さ面１４０の上端から延設された一対の蓋側外フラップ１２０の合計４つのフラップによって蓋部が構成されている。
【００１２】
かかる梱包箱１００は、図２に示す一枚の段ボールシートから構成される。この段ボールシートは、長さ面１４０、幅面１３０、長さ面１４０、幅面１３０が横一列に並んでおり、各面１３０、１４０の境目には各面１３０、１４０が隣接する面と直角になるようにそれぞれ縦罫線１７０が形成されている。
最も外側の長さ面１４０（図２では左端）の外側縁部には、継ぎしろ１８０が突出形成されている。
【００１３】
また、各長さ面１４０の上端から延設される蓋側外フラップ１２０の高さ寸法Ｈ１は、幅面１３０の幅寸法Ｗの１／２より僅かに小さく設定されている。また、各幅面１３０の上端から延設される蓋側内フラップ１１０の高さ寸法Ｈ２は、蓋側外フラップ１２０の高さ寸法Ｈ１と等しく設定されている。
【００１４】
前記蓋側外フラップ１２０と長さ面１４０の上端との境目である蓋側外フラップ側横罫線１４１上には、蓋側外フラップ１２０の折曲を助けるためと、蓋側外フラップ１２０を長さ面１４０から容易に破断するために、蓋側外フラップ切離線としてのミシン目が形成されている。なお、このミシン目は、３〜５ｍｍ間隔で設けるとよい。
【００１５】
前記蓋側内フラップ１１０と幅面１３０の上端との境目である蓋側内フラップ側横罫線１３１上には、蓋側内フラップ１１０を幅面１３０から切り離すために、蓋側内フラップ切離線としてのジッパーが形成されている。
なお、本明細書におけるジッパーとは、切断方向に対して傾斜した短い切れ目と、蓋側内フラップ側横罫線１３１の方向と一致した切れ目がへの字状につながって形成された切れ目とが、切断方向に一定の間隔で形成されているものをいう。
【００１６】
また、各長さ面１４０の下端から延設される底側外フラップ１６０の高さ寸法Ｈ３は、幅面１３０の幅寸法Ｗの１／２より僅かに小さく設定されている。また、幅面１３０の下端から延設される底側内フラップ１５０の高さ寸法Ｈ４は、長さ面１４０の下端から延設される底側外フラップ１６０の高さ寸法は３と等しく設定されている。
しかも、底側外フラップ１６０の高さ寸法Ｈ３は、蓋側外フラップ１２０の高さ寸法Ｈ１と等しくなっている。すなわち、各フラップの高さ寸法は、Ｈ１＝Ｈ２＝Ｈ３＝Ｈ４の関係になっているのである。
【００１７】
前記底側外フラップ１６０と長さ面１４０の下端との境目である底側外フラップ側横罫線１４２は、底側外フラップ１６０の折曲を容易にするために形成されている。
また、前記底側内フラップ１５０と幅面１３０の下端との境目である底側内フラップ側横罫線１３２は、底側内フラップ１５０の折曲を容易にするために形成されている。
同様に蓋部の蓋側内フラップ１１０と蓋側外フラップ１２０とにも、切断線と並列に蓋側内フラップ側横罫線１３１、蓋側外フラップ側横罫線１４１が形成されているが、折曲を助けて容易にし、しかも切断線のつなぎ部分が折曲によって破れるのを防ぐ役目を果たしている。
【００１８】
幅面１３０の上端中央部には、切出口１３５が形成される。この切出口１３５は、略逆台形状に設定され、上縁部が幅面１３０と蓋側内フラップ１１０との境目である蓋側内フラップ側横罫線１３１に達している。この切出口１３５は、幅面１３０にミシン目１３５Ａを形成することで形作られている。従って、ミシン目１３５Ａから破断すると、切出口１３５の内側部分が取り除かれて、切出口１３５があらわれるようになる。
【００１９】
また、蓋側内フラップ１１０には、前記切出口１３５の両端部から続く２本の内フラップ折曲補助線１１１が形成されている。
この２本の内フラップ折曲補助線１１１は、罫線とカット線とが交互に形成されたものである。
【００２０】
一方、蓋側外フラップ１２０には、先端両隅部１２５Ａと蓋側外フラップ側横罫線１４１の中間部１２５Ｂとをつなぐ略Ｖ字形状の外フラップ折曲補助線１２５が形成されている。この外フラップ折曲補助線１２５は、蓋側外フラップ１２０に対して裏面側から形成された罫線である。従って、蓋側外フラップ１２０はこの外フラップ折曲補助線１２５に沿って外側に向かって容易に折曲するようになっている。
【００２１】
このように構成された一枚の段ボールシートは、幅面１３０と長さ面１４０との間に形成された縦罫線１７０から折曲され、前記継ぎしろ１８０を反対側の幅面１３０の縁部内側に接着することで四角筒状に組み立てられる。その後、底側内フラップ１５０、底側外フラップ１６０の順でそれぞれ底側内フラップ側横罫線１３２、底側外フラップ側横罫線１４２から内側に折曲し、接着剤、粘着テープ或いは大型のステープラ用つづり針で固定閉塞されて底部が閉塞し、かつ蓋部が開放された状態の箱状に形成される。
【００２２】
このようにして、蓋部が開放された状態で箱状に形成された梱包箱１００は、内部にみかん等の内容物を格納した後、蓋側内フラップ１１０、蓋側外フラップ１２０の順で蓋側内フラップ側横罫線１３１、蓋側外フラップ側横罫線１４１から内側に折曲し、接着剤、粘着テープ或いは大型のステープラ用つづり針で固定閉塞される。
【００２３】
店頭等での展示等のための蓋部の開封作業、すなわち蓋側外フラップ１２０及び蓋側内フラップ１１０の取り外し作業は以下の手順で行う。
まず、幅面１３０の切出口１３５に指先等を突っ込むことで切出口１３５をミシン目１３５Ａから破断する。そのまま切出口１３５の内側部分を上方向に引っ張り上げて、切出口１３５の内側部分を蓋側内フラップ１１０に向かって破断する。
【００２４】
この切出口１３５の内側部分の破断に伴って、切出口１３５の内側部分に連なって２本の内フラップ折曲補助線１１１の内側部分が山状に持ち上がることで、蓋側内フラップ１１０の蓋側内フラップ側横罫線１３１上に形成されたジッパーを中央から外方に向かって破断する力が発生し、この力によって蓋側内フラップ１１０は確実に幅面１３０から切断される。
【００２５】
また、図３に示すように、この蓋側内フラップ１１０の幅面１３０からの切断に伴って、蓋側外フラップ１２０は外フラップ折曲補助線１２５部分から上方向へとめくれ上がるように折曲される。この外フラップ折曲補助線１２５部分の折曲と同時に、蓋側外フラップ１２０は蓋側外フラップ側横罫線１４１上の蓋側外フラップ切離線であるミシン目において、端部から中央側に向かって切断され始める。
蓋側内フラップ１１０が幅面１３０から完全に切断された後に、蓋側外フラップ１２０を外側から中央部に向かって引き上げれば、蓋側外フラップ１２０は長さ面１４０から完全に切断されるので蓋部を開封することができる。
【００２６】
すなわち、このように構成された梱包箱１００は、蓋部を構成する蓋側内フラップ１１０及び蓋側外フラップ１２０はカッター等の刃物を使用せずとも、幅面１３０及び長さ面１４０から確実に切断される。しかも、蓋側内フラップ１１０には内フラップ折曲補助線１１１が形成されているので、蓋側内フラップ１１０の切り離しの際には内フラップ折曲補助線１１１から折れ曲がるため、確実に蓋側内フラップ１１０の切り離しが行われる。蓋側外フラップ１２０の場合も同様に、外フラップ折曲補助線１２５が形成されているので、蓋側外フラップ１２０の切り離しの際には外フラップ折曲補助線１２５から折れ曲がるため、確実に蓋側外フラップ１２０の切り離しが行われる。
しかも、この外フラップ折曲補助線１２５は、頂点をもった略Ｖ字形状になっているので、頂点付近まで確実に蓋側外フラップ１２０を切断することができる。
【００２７】
なお、蓋側内フラップ側横罫線１３１等の横罫線は、段ボールシートを製造するコルゲーターのスコアラーによって形成される。また、蓋側内フラップ側横罫線１３１や蓋側外フラップ側横罫線１４１等に形成される切離線としてのジッパーやミシン目は、前記スコアラーで横罫線を形成した後に印刷機の打抜き加工部で形成する。なお、この打抜き加工部では、切出口１３５を形作るミシン目１３５Ａも同時に形成する。
【００２８】
また、上述した実施の形態では、切出口１３５を形成するための切断線としてミシン目１３５Ａを挙げたが、この切断線はミシン目１３５Ａに限らず、他の手法、例えばジッパーを用いることも可能である。
【００２９】
本発明に係るに係る梱包箱１００は、蓋部を構成する蓋側内フラップ側横罫線１３１、蓋側外フラップ側横罫線１４１、底部を構成する底側内フラップ側横罫線１３２、底側外フラップ側横罫線１４２の加工が施された段ボールシートに印刷と打抜き加工とを行い、前記蓋側内フラップ切離線としてのジッパー、切出口１３５、内フラップ折曲補助線１１１、蓋側外フラップ切離線としてのミシン目、外フラップ折曲補助線１２５を形成するものである。
従って、蓋側内フラップ側横罫線１３１上、蓋側外フラップ側横罫線１４１上に形成する、前記蓋側内フラップ切離線としてのジッパー、蓋側外フラップ切離線としてのミシン目を加工する際に発生しやすい破れ、割れ等の施工上の不具合を未然に防ぐ等の加工上のメリットもある。
【符号の説明】
【００３０】
１００    梱包箱
１１０    蓋側内フラップ
１１１    内フラップ折曲補助線
１２０    蓋側外フラップ
１３１    蓋側内フラップ側横罫線
１３５    切出口
１３５Ａ  ミシン目（切出口の切断線）
１４０    長さ面
１４１    蓋側外フラップ側横罫線
【図１】
0006259788.tif 000002
【図２】
0006259788.tif 000003
【図３】
0006259788.tif 000004